(57)【特許請求の範囲】
【請求項１】
インプットモジュール、グループモジュール、マスターモジュールを備えた各ユニットと、これらの各ユニットを制御し、パラメータの設定、読み出しを行う制御手段と、この制御手段と接続され、パラメータの選択、設定を行い表示する表示入力手段と、前記制御手段と通信手段を介し接続された外部コンピュータとを備え、
前記各ユニットには、入出力先切り換え回路、ゲイン調整回路、フィルタ回路、音像定位、フェーダー、イコライザ等のオーディオ信号調整加工用の各種回路が組み込まれ、前記制御手段にて設定されたパラメータによりオーディオ信号の処理、調整を行い、
前記外部コンピュータは、前記制御手段と前記各ユニット毎のパラメータの授受を行うユニット辞書を有し、
前記表示／入力手段は前記制御手段を介し前記各ユニットに対応するインジケータに設定されたパラメータを表示する、ことを特徴とするミキシングコンソールのパラメータ再現装置。
【発明の詳細な説明】
【０００１】
【発明の属する技術分野】
この発明は各種放送用、レコーディング用スタジオ等において使用され、複数のオーディオ信号の処理、調整等を行い、音声ソフトを制作するためのミキシングコンソールに関し、詳しくは入力ユニット等のパラメータを再現するミキシングコンソールのパラメータ再現装置に関する。
【０００２】
【従来の技術】
従来、放送用の音声ソフトやレコーディング用の音声ソフトの制作に使用されるミキシングコンソールは、増幅、音量調整、チャンネル選択等の各機能を備え、これらの各機能について機能別のユニット（モジュール）の積み重ね、あるいはトータルモジュールにより構成されている。また、数１０チャンネルものオーディオ信号についてオンライン処理を行う必要のあるミキシングコンソールではミキシング操作の操作性の向上を図るために、楽器や演奏者毎のグループに分類して信号を取り扱う様にしたグルーピングの手法を用いて信号処理を行い、操作性を向上させている。
【０００３】
ところで、従来より使用されているミキシングコンソールでは、フィルタ回路、リミッタ回路、イコライザ回路等のバイパス用の各スイッチや、グループ選択スイッチ群、また定位、音量調整等の調整スイッチ（ツマミ）等を全て手動で操作していたため、その操作箇所の総数が装置によっては１、０００箇所以上となり、これらを短時間で正確に設定変更することは極めて困難で、複雑な作業を必要とする音声ソフトが作れないといった不都合があった。
【０００４】
このような不都合を解消するためのミキシングコンソールが種々提案されているが、例えば特公平２−４７１２５号公報に記載されているものが知られている。図４はこのようなミキシングコンソールの基本構成を示すもので、コントロールセンタ２０は、制御データを記憶しておく記憶装置２１と、この記憶装置２１に制御データを出し入れするための制御回路２２とから成り、オーディオミキサを構成するインプットモジュール２４、グループモジュール２５、マスターモジュール２６、インプットマトリクス２７およびアウトプットマトリクス２８は、それぞれ半導体スイッチ等の電子制御可能なスイッチング素子にて構成されており、インプットモジュール２４とグループモジュール２５との間に配設されているインプットマトリクス２７によってグルーピングのための選択を行い、グループモジュール２５とマスターモジュール２６との間に配設されているアウトプットマトリクス２８によって出力信号の選択を行うようになっている。
【０００５】
また、上記インプットモジュール２４、グループモジュール２５およびマスターモジュール２６は、各イコライザや音量調節器が電圧制御型減衰器ＶＣＡを利用して構成されており、その動作が上記コントロールセンタ２０からの制御データ信号によって制御されるようになっている。
【０００６】
インプットモジュール２４は入力増幅、フィルタ回路、リミッタ回路、イコライザ回路、音量調整回路、出力増幅器等を有し、各回路の入力間がそれぞれ電子制御可能なスイッチング回路を介してバイパス可能なようになっている。そして、コントロールセンタ２０からの制御データ信号によって各回路やインプットマトリクス２７、アウトプットマトリクス２８、インプットモジュール２４、グループモジュール２５およびマスターモジュール２６の動作が制御され、各場面のミキシング状態を得るような制御データを予め記憶装置２１に記憶しておくことによって、現場でのミキシング作業の量が減少し、ミキシングオペレータは微妙な作業に集中できるというものである。
【０００７】
【発明が解決しようとする課題】
このような従来のミキシングコンソールでは、予め記憶し再現される制御データは、上記インプットマトリクス２７、アウトプットマトリクス２８、インプットモジュール２４、グループモジュール２５およびマスターモジュール２６等を一体としたミキシングコンソール全体の動作のものであり、個々の入力ユニット（インプットモジュール）単位での記憶、再現を行うことができないため、応用範囲が限られ、例えばパーカッション、ドラム、バイオリン等の各楽器や出演者個人に即した設定を、各プログラム毎に独自に再現することができなかった。
【０００８】
また、近年デジタル信号処理技術の進歩により、ミキシングコンソールもデジタル化されつつある。そして、このようにデジタル化されたミキシングコンソールではインジケータも多種多様化し、各パラメータの設定、再現はデジタル信号で行われ、その際にパラメータの再現状況を視覚的に把握できれば便利である。
【０００９】
この発明はかかる点に鑑みなされたもので、その目的とするところは、各ユニット単位でパラメータの記憶／再現が自由に行え、しかもパラメータの再現状況が視覚的に認識可能なミキシングコンソールのパラメータ再現装置を提供することにある。
【００１０】
【課題を解決するための手段】
上記課題を解決するため本発明は、インプットモジュール、グループモジュール、マスターモジュールを備えた各ユニットと、これらの各ユニットを制御し、パラメータの設定、読み出しを行う制御手段と、この制御手段と接続され、パラメータの選択、設定を行い表示する表示入力手段と、前記制御手段と通信手段を介し接続された外部コンピュータとを備え、前記各ユニットには、入出力先切り換え回路、ゲイン調整回路、フィルタ回路、音像定位、フェーダー、イコライザ等のオーディオ信号調整加工用の各種回路が組み込まれ、前記制御手段にて設定されたパラメータによりオーディオ信号の処理、調整を行い、前記外部コンピュータは、前記制御手段と前記各ユニット毎のパラメータの授受を行うユニット辞書を有し、前記表示／入力手段は前記制御手段を介し前記各ユニットに対応するインジケータに設定されたパラメータを表示することを特徴とする。
【００１１】
【発明の実施の形態】
次に、本発明の実施の形態について説明する。図１は本発明にかかるミキシングコンソールのパラメータ再現装置の基本構成を示すブロック図である。図において１ａ〜１ｎはインプット、グループ、マスター等の各ユニット、２はこのユニットを制御し、パラメータの設定、読み出しを行う制御手段、３はこの制御手段２に付随し、パラメータの選択、設定等を行うする表示／入力手段、４は通信手段、５は制御手段２と接続され、パラメータの管理を行う外部コンピュータ、６はユニット辞書６ａを格納する記憶手段である。
【００１２】
各ユニット１ａ〜１ｎには入出力先切り換え回路、ゲイン調整回路、フィルタ回路、音像定位（パン）、フェーダー、イコライザ等のオーディオ信号調整加工用の各種回路が組み込まれ、制御手段からのパラメータの内容に即してこれらの回路の定数などを調整し、設定通りの入出力、音質、音量等に調整する。なお、前記各回路はアナログ処理技術の信号処理形態に基づき概念的に示したもので、実際にはデジタル化されたオーディオ信号を、ＤＳＰ(Digital Signal Processor)等のデジタル演算処理手段を用い、各回路に対応した演算処理により同等の効果を得るものである。従って各パラメータもデジタル信号のデータ変数として与えられ、処理される。また、この各ユニットのＤＳＰ等は内部バスを通じて相互に密接に関連し、また制御手段２のＣＰＵ等ともデータ、コマンドの交換を行うようになっている。
【００１３】
制御手段２は単独あるいは複数のプロセッサ、ＲＯＭ，ＲＡＭ等の記憶素子を有し、各ユニット１ａ〜１ｎを含むミキシングコンソールの制御を行うとともに、各ユニット１ａ〜１ｎにパラメータを設定し、あるいは既に設定されているパラメータを読み出してユニット辞書６ａに格納する。各パラメータＰｘ−１〜ｎはその目的、用途、ユニットに対応してモジュール化された各種切り換えスイッチ、フェーダースイッチ、ポテンションメータ等からの入力により設定され、あるいは記憶手段６のユニット辞書６ａから読み出すことにより得られ、これにより過去の設定を再現できる。
【００１４】
表示／入力手段３は制御手段２に付随するもので、ＬＣＤ、ＣＲＴ等の表示部とキーボード、タッチパネル、ポインティングデバイス等の入力部より成り、ユニット辞書６ａに格納されている各パラメータＰｘ−１〜ｎのラベルＮａ１〜ｎを表示し、このラベルＮａ１〜ｎを入力部より指定して読み出しを行い、また各パラメータＰｘ−１〜ｎを設定し、あるいは読み出すためのユニット１ａ〜１ｎを指定する。
【００１５】
前記ラベルＮａ１〜ｎは文字、記号、数字により構成される名前または識別標識で、各パラメータＰｘ−１〜ｎに対応して設けられ、例えばそのパラメータＰｘ−ｎがドラムのものであれば”ドラム−１”、バイオリンの設定に用いられたものであれば”バイオリン−３”等の様に後から検索する際に、そのパラメータＰｘ−ｎがどのようなものであるかが容易に認識できるようになっている。
【００１６】
通信手段４は制御手段２と外部コンピュータ５を接続し、各パラメータＰｘ−１〜ｎの授受を行うためのもので、制御手段２、外部コンピュータ５それぞれに設けられた通信ポートと通信ラインにより構成される。通信形態は、ＲＳ２３２Ｃ，ＲＳ４２２Ａ等のシリアル通信が一般的であるが、各パラメータＰｘ−１〜ｎその他の必要なデータの授受ができれば他の通信手段（光、音波によるものを含む）を妨げるものではない。
【００１７】
記憶手段６はハードディスク、フロッピーディスク等の磁気ディスクや、光ディスク、光磁気ディスクあるいはフラッシュメモリ、ＲＡＭディスク、ＩＣカード等の半導体記憶素子による記憶媒体であって、その内部の所定の記憶領域をユニット辞書６ａとして、この部分に各パラメータＰｘ−１〜ｎをその目的、用途、ラベルの先頭文字の順（アルファベット、５０音）等に分類して格納する。
【００１８】
次に、このような構成のミキシングコンソールのパラメータ再現装置の動作について説明する。いま、ある入力ユニット１ｎにパーカッションからのマイク入力が接続されているとする。ミクサーはこのパーカッションからの音を所定のレベルに調整し、他のマイク入力とミックスし、音声ソフト上の所定の位置に定位するように調整する。この調整は前記制御手段２の操作スイッチにより行われ、そのパラメータＰｘ−ｎがその入力ユニット１ｎに送られる。
【００１９】
入力ユニット１ｎではパラメータを受け取ると、そのパラメータにより回路定数を変更して、入力されたオーディオ信号をその設定に即した信号に調整する。そして、入力ユニット１ｎで設定されたパラメータＰｘ−ｎは、表示／入力手段３からの操作に従い制御手段２により読み出される。
【００２０】
読み出されたパラメータＰｘ−ｎは通信手段４を介して外部コンピュータ５に送られ、外部コンピュータ５はこのパラメータＰｘ−ｎを受け取ると、このパラメータＰｘ−ｎのラベル１ｎにより予め決められた目的、用途、文字順等の分類基準に従い、分類し、ユニット辞書６ａ内の所定の位置に格納する。
【００２１】
ユニット辞書６ａから読み出す場合は、表示／入力手段３よりユニット辞書６ａを検索する。そして、パーカッションの設定を行うのであれば、”パーカッション〜”というラベルＮａ１〜ｎを検索し、該当するラベルＮａｎを指定するとともに、設定するユニット１ｎを指定する。指定されたラベルＮａｎのパラメータＰｘ−ｎは外部コンピュータ５に読み出され、通信手段４を介して制御手段２に送られる。制御手段２はパラメータＰｘ−ｎを受け取ると、指定されたユニット１ｎにパラメータＰｘ−ｎを設定する。
【００２２】
このようにして、各ユニット１ａ〜１ｎ毎に各パラメータＰｘ−１〜ｎの設定、再現を行うことができる。そして、各ユニット１ａ〜１ｎ毎のパラメータＰｘ−１〜ｎの設定、再現が可能となったため、異なるプログラム、や場面でもその楽器や状況に即したパラメータＰｘ−１〜ｎを呼び出し、任意に組み合わせることで、種々の音声プログラムに対応できる。
【００２３】
ところで、このように各ユニット１ａ〜１ｎ毎にパラメータＰｘ−１〜ｎを再現する場合、どの様な設定になっているのかミクサーが把握できないと不都合な場合がある。つまり、途中から異なるパラメータに変更する場合や、他のユニットを調整する際にレベル合わせなどの参考にする必要がある。
【００２４】
そこで、制御手段２はそのパラメータＰｘ−ｎに該当する上記各操作スイッチ群からなるモジュールの、パラメータＰｘ−ｎの各要素に対応したスイッチ、メータに対応するインジケータにそのパラメータＰｘ−ｎを表示させる。図２、図３はこのような表示の１例を示したもので、図２（ｂ）のフェーダースイッチ１３であれば、内蔵するリニアモータにより操作ツマミ１４の位置がパラメータＰｘ−ｎに即して調整され、この時同図（ａ）に示されるようようにそのモジュール（ユニット）に対応するレベルメータ１１のＬＥＤ（またはＬＣＤ、あるいは光電管）１２の指示はそのパラメータＰｘ−ｎに即した値を示す。図３の調整スイッチ（ツマミ）１５であれば、その外周に設けられたＬＥＤインジケータ１６がパラメータに該当する位置にまで点灯する。
【００２５】
このようにして、各ユニット１ａ〜１ｎに対応したモジュールのインジケータ、メータ等に設定されたパラメータを表示することにより、一見して容易に設定内容を把握でき、他のユニット間の調整やパラメータの変更が極めて迅速かつ容易に行え、ミクサーの負担を減少することもできる。
【００２６】
【発明の効果】
以上のように本発明によれば、各ユニット毎のパラメータの設定、再現が可能となったため、異なるプログラム、や場面でもその楽器や状況に即したパラメータを呼び出し、任意に組み合わせることで、種々の音声プログラムや、より複雑な音声プログラムにも容易に対応でき、ミクサーの負担も少なくなる。
【００２７】
また、各ユニットに対応したモジュールのインジケータ、メータ等に設定されたパラメータを表示することにより、一見して容易に設定内容を把握でき、他のユニット間の調整やパラメータの変更が極めて迅速かつ容易に行え、ミクサーの負担を減少することもできるという効果を有する。
【図面の簡単な説明】
【図１】  本発明にかかるミキシングコンソールのパラメータ再現装置の基本構成を示したブロック図である。
【図２】  パラメータを視覚的に表した例で、（ａ）はフェーダースイッチに対応したレベルメータに、設定値を表示させた状態を示したもの、（ｂ）はフェーダースイッチ自体を、設定値に応じた位置に移動させた状態を示した図である。
【図３】  パラメータを視覚的に表した例で、操作スイッチ（ツマミ）の周囲に設けられたインジケータに設定値を表示させた状態を示した図である。
【図４】  従来のミキシングコンソールの構成を示した図である。
【符号の説明】
１ａ〜１ｎ  ユニット
２    制御手段
３    表示／入力手段
４    通信手段
５    外部コンピュータ
６    記憶手段
６ａ  ユニット辞書
Ｐｘ−１〜ｎ  パラメータ
Ｎａ１〜ｎ  ラベル
【図１】
0003821243.tif 000002
【図２】
0003821243.tif 000003
【図３】
0003821243.tif 000004
【図４】
0003821243.tif 000005